(57)【要約】本発明は、取り込み工具に選択的に取り付ける予備巻取り装置を提供するものである。予備巻取り装置は、取り込み工具に選択的に取り込むことができる支持構造と、上記支持構造に取り付けられる、第１および第２ネジ穴を有する予備巻取り機と、ネジ込み端および結合端を有する回転軸とを備えている。上記ネジ込み端は、上記第２ネジ穴とネジ留めされている。上記結合端は、駆動手段と選択的に操作可能に咬合しており、これにより螺旋コイルインサートを予備巻取りする第２ネジ穴を通した螺旋コイルインサートの回転駆動のために、駆動手段が回転軸を予備巻取り機に対して回転駆動する。
2004536718.tif 000002
【特許請求の範囲】
【請求項１】
駆動手段に選択的に取り付け可能な支持構造と、
第１ネジ穴を備え、上記支持構造の一端に取り付けられる予備巻取り機（a prewinder）と、
上記第１ネジ穴と選択的にネジ留めできる状態であるネジ込み端（threaded end）および、結合端を有する回転軸とを含み、
上記結合端は、駆動手段と選択的に操作可能な咬合状態であることによって、上記第１ネジ穴を通して螺旋コイルインサートを回転駆動し、予備巻取りするために、駆動手段が回転軸を上記予備巻取り機に対して回転駆動する
螺旋コイルインサート（a helical coil insert）を予備巻取りするための駆動手段に選択的に取り付け可能な予備巻取り装置（a prewinder apparatus）。
【請求項２】
さらに上記予備巻取り機は、螺旋コイルインサートを受けるための開口部を含むことを特徴とする請求項１に記載の予備巻取り装置。
【請求項３】
上記回転軸のネジ込み端が、第１ネジ部および第２ネジ部を備えていることを特徴とする請求項１に記載の予備巻取り装置。
【請求項４】
上記第１と第２ネジ部とのネジの型が異なることを特徴とする請求項３に記載の予備巻取り装置。
【請求項５】
上記第１ネジ部が、上記第１ネジ穴と選択的にネジ留めされる状態にあることを特徴とする請求項３に記載の予備巻取り装置。
【請求項６】
上記支持構造が上記駆動手段に対して取り付けられ、上記回転軸が予備巻取り装置内で駆動手段により相互駆動されることを特徴とする請求項１に記載の予備巻取り装置。
【請求項７】
選択的に駆動手段と咬合する結合ステム（stem）を有する本体（a main body）、および
上記本体内に、上記回転軸の結合端を移動して受けるための空洞を備える駆動スリーブ（sleeve）を含み、
上記結合端は、駆動手段によって回転駆動される駆動スリーブの長さに沿って走るスロット内に移動できる形で配置される放射状に伸びたピンを備え
上記駆動スリーブは、予備巻取り装置の上記回転軸を相互駆動するために、上記駆動手段によって回転駆動されることを特徴とする請求項１に記載の予備巻取り装置。
【請求項８】
さらに、上記駆動スリーブ内における上記回転軸の駆動距離を規定するための上記駆動スリーブの上記長さに沿って配置できる第１留めが備えられていることを特徴とする請求項７に記載の予備巻取り装置。
【請求項９】
上記第１留めには、
上記駆動スリーブ付近に配置できるリングと、
上記スロット内を移動できる形で配置される内側に伸びた案内（guide）と、
上記駆動スリーブの上記長さに沿った所定の距離で上記第１留めを固定するための放射状に調節可能な固定ネジとが備えられている
請求項８に記載の予備巻取り装置。
【請求項１０】
さらに、上記第１留めと協調して上記駆動スリーブにおける上記回転軸の駆動距離を規定するための上記駆動スリーブの上記長さに沿って配置可能な第２留めを含む請求項８に記載の予備巻取り装置。
【請求項１１】
上記第２留めには、
上記駆動スリーブ付近に配置できるリングと、
上記スロット内を移動できる形で配置される内側に伸びた案内と、
上記駆動スリーブの上記長さに沿った所定の距離で上記第１留めを固定するための放射状に調節可能な固定ネジとが備えられていることを特徴とする
請求項１０に記載の予備巻取り装置。
【請求項１２】
上記回転軸が、駆動手段によって回転駆動することにより、支持構造を駆動手段に対して相互駆動することを特徴とする請求項１に記載の予備巻取り装置。
【請求項１３】
上記支持構造に、上記支持構造が移動して駆動手段と咬合するためのスロットが備えられていることを特徴とする請求項１２に記載の予備巻取り装置。
【請求項１４】
上記回転軸の上記結合端が、上記回転軸を直接駆動するための駆動手段と選択的に咬合できる状態にあることを特徴とする請求項１２に記載の予備巻取り装置。
【請求項１５】
さらに、上記回転軸に対する上記予備巻取り機の駆動距離を規定するための上記回転軸の長さに沿って配置できる留めを含むことを特徴とする請求項１２に記載の予備巻取り装置。
【請求項１６】
さらに上記予備巻取り機が、第２ネジ穴を上記回転軸とのネジ留めに備えていることを特徴とする請求項１に記載の予備巻取り装置。
【請求項１７】
駆動手段、および
第１ネジ穴を備えた予備巻取り機と、
上記第１ネジ穴との選択的なネジ留めにおける回転軸とを含む
上記駆動手段に選択的に取り付け可能な予備巻取り装置を含み、
上記予備巻取り装置は、上記駆動手段と選択的操作可能な咬合であることによって、上記第１ネジ穴を通して螺旋コイルインサートを回転駆動し、予備巻取りするために、上記駆動手段が上記回転軸を上記予備巻取り機に対して回転駆動する
螺旋コイルインサートを取り付けるための電気的取り付け工具。
【請求項１８】
上記予備巻取り機が、さらに螺旋コイルインサートを受けるための開口部を備えていることを特徴とする請求項１７に記載の電気的取り付け工具。
【請求項１９】
上記回転軸が、ネジ込み端を備えていることを特徴とする請求項１７に記載の電気的取り付け工具。
【請求項２０】
上記ネジ込み端が、第１ネジ部および第２ネジ部を備えていることを特徴とする請求項１７に記載の電気的取り付け工具。
【請求項２１】
上記第１と第２ネジ部とのネジの型が異なることを特徴とする請求項２０に記載の電気的取り付け工具。
【請求項２２】
上記第１ネジ部が、上記第１ネジ穴と選択的にネジ留めされる状態にあることを特徴とする請求項２０に記載の電気的取り付け工具。
【請求項２３】
上記駆動手段に選択的に取り付け可能であり、上記予備巻取り装置の他の構成部品を支持する支持構造をさらに備えていることを特徴とする請求項１７に記載の電気的取り付け工具。
【請求項２４】
上記回転軸が上記予備巻取り装置にて上記駆動手段によって相互駆動されることを特徴とする請求項１７に記載の電気的取り付け工具。
【請求項２５】
選択的に駆動手段と咬合する結合ステムを有する本体、および
上記本体内に、上記回転軸の一端を移動して受けるための空洞を備える
駆動スリーブを含み、
上記一端は、駆動手段によって回転駆動される駆動スリーブの長さに沿って走るスロット内に移動できる形で配置される放射状に伸びたピンを備え
上記駆動スリーブは、予備巻取り装置の上記回転軸を相互駆動するために、上記駆動手段によって回転駆動されることを特徴とする請求項１７に記載の電気的取り付け工具。
【請求項２６】
上記駆動スリーブの上記長さに沿って配置でき、上記駆動スリーブ内の上記回転軸の駆動距離を規定する第１留めをさらに備える請求項２５に記載の電気的取り付け工具。
【請求項２７】
上記第１留めには、
上記駆動スリーブ付近に配置できるリングと、
上記スロット内に滑って配置できる内側に伸びた案内と、
上記駆動スリーブの上記長さに沿った所定の距離で上記第１留めを固定するための放射状に調節可能な固定ネジとを備える請求項２６に記載の電気的取り付け工具。
【請求項２８】
さらに、上記第１留めと協調して上記駆動スリーブにおける上記回転軸の駆動距離を規定するための上記駆動スリーブの上記長さに沿って配置可能な第２留めを含むことを特徴とする請求項２６に記載の電気的取り付け工具。
【請求項２９】
上記第２留めには、
上記駆動スリーブ付近に配置できるリングと、
上記スロット内に滑って配置できる内側に伸びた案内と、
上記駆動スリーブの上記長さに沿った所定の距離で上記第１留めを固定するための放射状に調節可能な固定ネジとが備えられていることを特徴とする
請求項２８に記載の電気的取り付け工具。
【請求項３０】
上記回転軸が、上記駆動手段によって回転駆動することにより、上記予備巻取り機を駆動手段に対して相互駆動することを特徴とする請求項１７に記載の電気的取り付け工具。
【請求項３１】
上記予備巻取り機を支持するための支持構造をさらに含む請求項３０に記載の電気的取り付け工具。
【請求項３２】
上記支持構造がスロットを含み、これにより上記支持構造が上記駆動手段と咬合されることを特徴とする請求項３１に記載の電気的取り付け工具。
【請求項３３】
上記回転軸が、上記回転軸を直接駆動するための駆動手段と選択的咬合状態にあることを特徴とする請求項１７に記載の電気的取り付け工具。
【請求項３４】
さらに、上記回転軸の長さに沿って配置でき、上記回転軸に対する上記予備巻取り機の駆動距離を規定するための留めを含む請求項３０に記載の電気的取り付け工具。
【請求項３５】
上記回転軸が上記予備巻取り機の第二ネジ穴とネジ留めされていることを特徴とする請求項１７に記載の電気的取り付け工具。
【発明の詳細な説明】
【技術分野】
【０００１】
本発明は、ネジ穴に螺旋コイルインサートを取り付ける予備巻取り工具に関するものであり、特に、取り付け工具に対して選択的に取り付け可能な予備巻取り装置に関するものである。
【背景技術】
【０００２】
螺旋コイルインサートは一般に、工作物のネジ穴に取り付け、ネジ等のネジ部品をしっかり固定することが出来るようにするものである。これらインサートは、これらが取り付けられるネジ穴の材質よりもより硬い材質でできた雌ネジである。言い換えると、インサートは、鉄合金といった比較的硬い材質でできたネジ部品が、アルミニウムといった比較的やわらかい母材に取り付けられる場合に、そのネジ部品の締め（gripping）を向上させる。螺旋コイルインサートには一般的に、取り付け工具の回転軸の柄（grip）として用いられるタング（tang）が、螺旋コイルインサートをネジ穴にねじ込むために含まれている。
【発明の開示】
【発明が解決しようとする課題】
【０００３】
このような種類の螺旋コイルインサートは通常、径を縮小するために予備巻取りされ、その後、回転しながらネジ穴に取り付けられる。取り付けられると、螺旋コイルインサートは、縮小していた径を拡張し、ネジ穴を規定している壁に対して放射状に外側の方向へ圧力をかけることによって、当該螺旋コイルインサートをその位置にしっかりと固定する。この機能を行う様々な工具が提供されているが、これらは一般的に、空気や電気モーターによりこれらを駆動するような大型単一機能工具（large single-function tools）に限定されているものである。さらに、このような工具には、その中心軸にネジ穴を有する管状体を備え、その一端は、当該ネジ穴に螺旋コイルインサートを配置するため開口している。回転軸は、ネジ穴の中でモーターにより回転し、螺旋コイルインサートと咬合する。上記回転軸の前進は、予備巻取り機を通して螺旋コイルインサートに、隣接する工作物のネジ穴に前進するより前に螺旋コイルインサートを縮小するように強いる。螺旋コイルインサートが工作物のネジ穴の正確な深さに取り付けられると、当該回転軸は、螺旋コイルインサートから外れるところまで戻る。回転軸が除かれると、螺旋コイルインサートはネジ穴の壁と咬合するために放射状に拡大する。
【０００４】
上述したように、このような取り付け工具は、一般的に螺旋コイルインサートを予備巻取りし、取り付ける機能を行う専用工具である。これらの機能を行うためには、特別な予備巻取り工具を入手する必要がある。全ての製造業においては、コストを削減するために連続駆動を行っている。特別な機能を行う特別な工具をもつことはコストの増大をもたらすこととなる。したがって、製造業においては、既存の装置と操作が適合するような予備巻取り装置を提供することが望まれる。これにより、多くの工具が低減され、使用方法の容易さが増すことで、全てに渡るコストを削減することができる。
【課題を解決するための手段】
【０００５】
すなわち、本発明は、螺旋コイルインサートを予備巻取りするために、駆動手段に選択的に取り付け可能な予備巻取り装置を提供する。予備巻取り装置には、駆動手段に選択的に取り付け可能な支持構造と、当該支持構造の一端に取り付けられる予備巻取り機を含んでいる。上記予備巻取り機は、第１および第２ネジ穴、並びに、好ましくはネジ込み端および結合端を有する回転軸を備えている。上記ネジ込み端は、第１のネジ穴と咬合し、第２のネジ穴と選択的に咬合する。上記結合端は、駆動手段とともに選択的に操作可能な咬合であり、これにより、駆動手段は、予備巻取り機に関連して回転軸を回転駆動する。特に回転軸は、螺旋コイルインサートが予備巻取り機するように、第２のネジ穴を通して螺旋コイルインサートを回転駆動する。
【０００６】
第１の実施形態においては、予備巻取り装置は、往復型回転軸予備巻取り装置（a reciprocating mandrel prewinder apparatus）である。この往復型回転軸予備巻取り装置は、選択的に駆動手段と咬合する結合ステム（stem）を備えた本体と、回転軸の結合端を滑らせて受ける空洞とを有する駆動スリーブを含む。上記結合端は、駆動スリーブの長手方向にのびたスロット（slot）の中に移動することが可能な形で配置された放射状に広がるピンを含む。上記駆動スリーブは、予備巻取り装置内の回転軸を往復駆動するために駆動手段によって回転駆動する。上記往復型回転軸予備巻取り装置は、回転軸の移動の幅を規定するため、駆動スリーブと操作的に咬合する一対の調節可能な留めを含むことが好ましい。
【０００７】
第２の実施形態においては、予備巻取り装置は、固定型回転軸予備巻取り装置（a stationary mandrel prewinder apparatus）である。上記固定型回転軸予備巻取り装置の回転軸は、駆動手段により回転駆動することで、駆動手段に関連する固定型回転軸予備巻取り装置の支持構造を往復駆動する。上記支持構造の円滑な動作のために、当該支持構造は、移動し駆動手段と咬合するためのスロットを含む。固定型回転軸予備巻取り装置は、駆動手段に対応した支持構造の移動の幅を規定するため回転軸の長さに沿って調節する調節可能な留めを備えていることが好ましい。
【０００８】
本発明のさらなる適用範囲は、以下に述べる詳細な説明によって明らかにされるだろう。しかしながら、本発明の詳細な説明や実施例、並びに好ましい実施形態に述べられているものが、本発明の範囲を限定するものではない。
【０００９】
本発明は、以下の詳細な説明および図面によって、十分に理解することができるだろう。
【発明を実施するための最良の形態】
【００１０】
以下に説明するのは、本発明に関する好ましい実施形態である。しかしながら、これは一例いすぎず、本発明やその用途、使用を限定するものではない。
【００１１】
図１（Ａ）から図３は、第１の実施形態および第２の実施形態における本発明の予備巻取り装置１０および２００であり、それぞれ駆動手段１２に取り付けが可能である。上記予備巻取り装置１０および２００は、螺旋ワイヤーインサートをネジ穴に取り付けるための取り付け工具として提供される。上記駆動手段１２は、電動スクリュードライバや、可変速度ドリル等の電気工具であることが好ましい。また、上記駆動手段１２は、コード付きであってもコードレス（すなわちバッテリー駆動）であってもよい。
【００１２】
図１（Ａ）（Ｂ）に基づいて説明すると、本発明の往復型回転軸予備巻取り機１０は、支持構造１４と、予備巻取り機１６と、回転軸１８と、駆動スリーブ２０と、一対の調整可能な留め２２および２４とを備えている。上記予備巻取り機１６は、上記支持構造１４の一端に配置され、上記回転軸１８は、上記支持構造１４の内部に回転できる形で配置される。上記回転軸１８は、上記駆動スリーブ２０と内部接続しており、駆動スリーブ２０内で軸方向に移動できる。上記調節可能な留め２２および２４は、駆動スリーブ２０付近に配置され、駆動スリーブ２０に対する回転軸１８の軸方向移動を制限するために、駆動スリーブ２０に対して調節することが可能である。駆動スリーブ２０が、上記回転軸１８を駆動するために駆動手段１２の駆動部（a drive unit）２６と内部接続することにより、上記支持構造１４は、駆動手段１２の一端と選択的に内部接続する。
【００１３】
第１の実施形態においては、支持構造１４は一般にフラストコニカル空洞２８を有するフラストコニカル型である。隙間３０は、支持構造１４の中の構造とアクセスする（accessing）ために、当該支持構造１４の壁３２に渡って提供される。支持構造１４の遠心端は、フラストコニカル空洞２８に繋がる穴３６を有する円筒型空洞３４を備えている。またネジ穴３８は、支持構造１４にある固定ネジ４０を受けるために、円筒型空洞３４から支持構造１４を通して放射状に伸びて提供される。支持構造１４の開口端は、駆動手段１２に配置された外周嵌合唇（a circumferential mating lip）４４に咬合するための外周溝４２を備えている。これにより支持構造１４、すなわち予備巻取り装置１０は、駆動手段１２と容易に内部接続できる。
【００１４】
特別な例として図４に示すのは、足４６と、半円筒型中間体４８と、先端５０とを備えた予備巻取り機１６である。上記足４６は、支持構造１４の円筒型空洞３４に受けられており、第１ネジ穴５２が足４６内部を突き抜ける形で備えられている。上記半円筒型中間体４８は、上記足４６および上記先端５０と接続し、半円形リセス（recess）５６に通路（access）を提供するための溝５４（図１を参照）を提供することにより、使用者は、螺旋コイルインサート５８（図５を参照）を予備巻取り機１６に搭載することができる。以下でさらに詳細に説明するように、上記先端５０は、穴５９を備えた、予備巻取り穴（a prewinding aperture）を提供するための縮小径穴（reduced diameter aperture）である。上記予備巻取り機１６は、円筒型空洞３４に足４６を挿入することによって支持構造１４に搭載される。予備巻取り機１６は、固定ネジ４０によって固定される。
【００１５】
再び図１（Ａ）（Ｂ）に基づいて説明すると、上記回転軸１８は一般に、長さ方向に円筒型であり、ネジ先端６０と、放射状に伸びるピン（pin）６４を有する反対端６２とを備えている。上記ネジ先端６０は、螺旋コイルインサート５８に咬合するためにコンター（contour）６６を備え、支持構造１４の穴３６を通じて挿通できるように配置される。さらに、上記回転軸１８は、予備巻取り機１６の第１ネジ穴５２と螺合される。上記回転軸１８が回転を起こすと、上記第１ネジ穴５２の方向へ軸方向移動し、互いが螺合する。
【００１６】
上記駆動スリーブ２０は一般に、その軸方向に空洞７０と、その長さ方向に沿ったスロット（slot）７２とを有した覆い６８を備える。実質的六角形ステム７４は、駆動スリーブ２０の一端から軸方向に伸びている。なおここでは上記六角形ステム７４は、実質六角形として記載しているが、他の形状であってもよい。上記六角形ステム７４は、駆動手段１２に駆動スリーブ２０を回転駆動させることを可能にするために駆動手段１２の駆動部２６内へ受けることができる。上記回転軸１８が駆動スリーブ２０の空洞７０内に軸方向に受けられることによって放射状に伸びるピン６４は、回転軸１８のスロット７２へ伸びる。このようにして、回転軸が駆動スリーブ２０の空洞７０にて軸方向移動することができている間、駆動スリーブ２０および回転軸１８は、共回転のために固定される。
【００１７】
調節可能な留め２２および２４はそれぞれ、駆動スリーブ２０の外部外周面（a outside circumferential surface）７６に配置され、穴８０を有するリング型体（a ring-shape body）７８および、放射状に内側へ伸びた案内８２を備える。案内８２が移動して駆動スリーブ２０のスロット７２に受けられることによって、穴８０を通して駆動スリーブ２０が伸びる。調節可能な留め２２および２４はそれぞれ、要求される位置に達するまで駆動スリーブ２０に沿って移動することができる。さらに調節可能な留め２２および２４はそれぞれ、固定ネジ８４を備え、リング型体７８のネジ穴８６に配置される。上記固定ネジ８４は、駆動スリーブ２０に対応する調節可能な留め２２および２４を固定するために操作できる。回転軸１８が駆動スリーブ２０内を軸方向に移動すると、放射状に伸びたピン６４が、最終的に、調節可能な留め２２および２４の一方と接触し、スロット７２におけるピン６４のさらなる移動を抑制する。これにより、上記駆動スリーブ２０内での上記回転軸１８の軸方向動作の長さは、調節可能な留め２２および２４の調節を経て選択的に規定される。結果として、螺旋コイルインサート５８が取り付けられる深さが制御され、要求される特定の設計によって変化するものとなる。
【００１８】
図２（Ａ）および（Ｂ）には、異なる支持構造としてブラケット組立て部（bracket assembly）１４’を提供する。ブラケット組立て部１４’は、直線部９０と、角ステップ（an angular step）９２と、端部９４とを含む各ブラケット（bracket）８８を複数含む。上記予備巻取り機１６の足４６は、ブラケット８８の端部９４に受けられ、かつ、対になったネジ９６によって位置を固定される。上記ネジ９６とは、端部９４の穴９８を通して受けられ、予備巻取り機１６の足４６の対になったネジ穴１００とネジ留めされている。ブラケット８８それぞれの直線部９０の遠心端は、駆動手段１２上の予備巻取り装置１０を固定するために通されるボルト１０４を受けるための穴１０２を備える。
【００１９】
図５に基づいて、予備巻取り装置１０の操作について詳細に説明する。螺旋コイルインサート５８は半円筒型中間体４８の半円形リセス５６にスロット５４を通じて配置され、予備巻取り機１６の先端５０の予備巻取り穴５９と並べられる。螺旋コイルインサート５８を予備巻取り機内に搭載するために、まず回転軸１８は部分的に足４６の第１ネジ穴５２に引き込まれる。その後、駆動手段１２は、駆動部２６に駆動スリーブ２０を回転駆動するようにさせることによって、回転軸１８を回転駆動する。回転軸１８が回転駆動すると、足４６の第１ネジ穴５２との咬合は回転軸１８に軸方向移動を起こし、最終的には螺旋コイルインサート５８と咬合する。咬合において、回転軸１８のネジ先端６０はコンター６６が螺旋コイルインサート５８のタング１０６を掴むまで螺旋コイルインサート５８を移動する。回転軸１８が、先端５０の予備巻取り機穴５９内に螺旋コイルインサート５８を回転させることにより、回転軸１８の先端６０付近で螺旋コイルインサート５８を予備巻取りする。回転軸１８の前進の継続は、予備巻取りした螺旋コイルインサート５８を予備巻取り穴５９から工作物１１０のネジ穴１０８へ軸方向移動させる。ネジ穴１０８への螺旋コイルインサート５８の挿入の完了で、駆動手段１２の駆動動作はタング１０６からコンター６６を外すために戻り、螺旋コイルインサート５８およびネジ穴１０８から回転軸１８を外す。
【００２０】
図３について、本発明はまた、ブラケット組立て部２１２と、予備巻取り機２１４と、回転軸２１６とを備えた固定型回転軸予備巻取り装置２００を提供するものである。予備巻取り機２１４は、ブラケット組立て部２１２のブラケット８８の間に保持され、回転軸２１６はブラケット組立て部２１２に回転できる形で配置されている。上記回転軸２１６は、駆動手段１２と内部接続される。調節可能な留め２１８は、駆動手段１２に対して予備巻取り装置２００の動作を制限するために回転軸２１６に配置される。
【００２１】
予備巻取り機２１４は、上述した上記予備巻取り機１６と同じく、足２００と、半円筒型中間体２２２と、先端２２０とを備える。上記足２２０は、ブラケット組立て部２１２のブラケット２１７の間の受けのために適用され、第1ネジ穴２２６を含む。半円筒型中間体２２２は上記足２２０および先端２２４と内部接続し、かつ、予備巻取り機２１４へ螺旋コイルインサート２３２（図６参照）を搭載するための弓型リセス２３０に通じるためのスロット（slot）２２８を提供する。先端２２４は、後述する径を縮小した予備巻取り穴２３４を備える。上記予備巻取り機２１４は、ブラケット組立て部２１２に搭載されることにより、足２２０は対になったネジ２３６によってしっかり固定される。
【００２２】
回転軸２１６は一般に、長さ方向に円筒型であり、ネジ先端２３８および対ステム端（opposing stem end）２４０を備えている。上記対ステム端２４０は一般に六角形であるけれども、この形状は限定されるものではない。六角形ステム（対ステム端）２４０は、予備巻取り装置１０で説明したものと同様に、駆動手段１２が回転軸２１６を回転駆動できるように、駆動手段１２の駆動部２６内に受けられる。ネジ先端２３８は螺旋コイルインサート２３２に螺合するため、コンター２４２を備える。さらに回転軸２１６は、予備巻取り機２１４の第1ネジ穴２２６とネジ留めされる。詳細は後述するが、回転軸２１６が回転すると、予備巻取り機２１４は回転軸２１６付近で軸方向に引き込まれ、結果として、予備巻取り機２１４との間で螺合が形成される。このように、回転軸２１６は、駆動手段１２に対して固定されたままとなり、予備巻取り機２１４が駆動手段１２に対して軸方向に移動する。
【００２３】
ブラケット組立て部２１２は上述したブラケット組立て部１４’と類似しており、ブラケット２１７を備える。上記ブラケット２１７それぞれは、直線部２４４と、角ステップ２４６と、端部２４８とを備える。上記予備巻取り機２１４の足２２０は、ブラケット２１７の端部２４８に受けられ、ネジ２３６によって位置を固定される。上記ネジ２３６は、端部２４８の穴２５０を通じて受けられ、かつ、予備巻取り機２１４の足２２０の対になったネジ穴２５２とネジ留めされる状態となっている。ブラケット２１７それぞれの直線部２４４の遠心端は、駆動手段１２上の予備巻取り装置２００を固定するために通されるボルト２５６を受けるためのスロット２５４を備える。上記スロット２５４は、ブラケット組立て部２１２が駆動手段１２に対して軸方向に移動することを可能にする。
【００２４】
調節可能な留め２１８は、円筒型空洞２６２および放射状のネジ穴２６４とを有する円筒部２６０を備えている。上記円筒型空洞２６２は、上記円筒部２６０を通して配置され、上記放射状の穴２６４は、上記円筒部２６０の中で固定ネジ２６６を受ける。回転軸２１６は、上記円筒型空洞２６２を通して移動できる形で受けられ、調節可能な留め２１８は、ネジ２６６が回転軸２１６の外部外周面２６８と螺合することによって、回転軸２１６の長さに沿った位置に固定される。調節可能な留め２１８は、回転軸２１６に対して予備巻取り機２１４が移動できる軸方向に規定される。結果、挿入される螺旋コイルインサート２３２の深さは制御され、要求される設計によって変化する。
【００２５】
図６においては、予備巻取り装置２００の操作について詳細に説明している。螺旋コイルインサート２３２は、スロット２２８を通して半円筒型中間体２２２の半円形リセス２３０に配置され、予備巻取り機２１４の先端２２４の予備巻取り穴２３４と並列している。螺旋コイルインサート２３２を予備巻取り機２１４に搭載するために、まず、予備巻取り機２１４および接触したブラケット組立て部２１２は、回転軸２１６のネジ先端２３８に沿って前方に進む。その後、駆動手段１２が、駆動部２６に駆動スリーブ２０を回転駆動するようにさせることによって、回転軸２１６を回転駆動させる。回転軸２１６が回転駆動すると、足２２０の第１ネジ穴２２６とのネジ留めが、予備巻取り機２１４および接触したブラケット組立て部２１２に駆動手段１２方向への引き込みを起こし、これにより回転軸２１６の螺旋コイルインサート２３２との螺合を可能にする。予備巻取り機２１４および接触したブラケット組立て部２１２が後方に進むと、ブラケット組立て部２１２は、スロット２５４を経て駆動手段１２に対して軸方向に移動する。螺合において、回転軸２１６のネジ先端２３８は、コンター２４２が螺旋コイルインサート２３２のタング２７０を掴むまで、螺旋コイルインサート２３２を通して移動する。回転軸２１６が螺旋コイルインサート２３２を先端２２４の予備巻取り穴２３４内へ回転させることにより、回転軸２１６のネジ先端２３８付近で螺旋コイルインサート２３４は収縮する。予備巻取り機２１４および接触したブラケット組立て部２１２の進行の継続は、予備巻取りした螺旋コイルインサート２３４を予備巻取り穴５９から工作物１１０のネジ穴１０８への回転を引き起こす。ネジ穴２７２への螺旋コイルインサート２３４の挿入の完了で、駆動手段１２の駆動動作は、タング１０６からコンター６６を外すために戻り、予備巻取り機２１４および接触したブラケット組立て部２１２を駆動手段１２に対して前進させることにより、螺旋コイルインサート２３２およびネジ穴２７２から回転軸２１６を引き込む。
【００２６】
上述した複数の回転軸は、一般に、タングを有する螺旋コイルインサートを予備巻取りするために提供される。図７では、別の回転軸２８０がタングを持たない螺旋コイルインサートを予備巻取りするために提供されている。この回転軸２８０は、予備巻取り装置１０および２００の何れにも適用することは言うまでもないことである。回転軸２８０は、円筒部２８２および結合端２８６を備えている。上記円筒部２８２は、径を縮小したステップ端（a stepped end）２８４を有し、上記結合端２８６は、駆動スリーブ２０または駆動部２６の何れかと選択的に内部接続するためのものである。
【００２７】
第１ネジ部２８８は、円筒部２８２の外周面２９０付近に提供され、第２ネジ部２９２は、ステップ端２８４の外周面２９４付近に提供される。円筒部２８２の長さに空洞２９６があり、レバーアーム２９８は当該円筒部２８２の中で軸性的に支持されている。上記レバーアーム２９８は、螺合端（an engagement end）３００と、バイアス端（a biasing end）３０２と、支点３０３とを備える。バネ（a spring）３０４は、円筒部２８２の空洞３０６内に配置され、第１位置にレバーアーム２９８をバイアスする（biasing）ためにレバーアーム２９８のバイアス端３０２と咬合する。第１の位置において、咬合端３００のつまみ３０８はステップ端２８４の穴３１０を通して伸びる。
【００２８】
回転軸２８０の上記第１ネジ部２８８は、予備巻取り機１６および２１４の第１ネジ穴５２および２２６とネジ留めされた状態であり、第２ネジ部２９２は、予備巻取り穴５９および２３４を通してタングのない螺旋コイルインサート３１２を駆動するために、螺旋コイルインサート３１２と選択的咬合である。上記タングのない螺旋コイルインサート３１２は、内部外周面３１６に形成されたリセス３１４を備える。なお、上記リセス３１４は、双方向螺旋コイルインサート３１２を提供するためにもう一方の末端に形成することも可能である。回転軸２８０が螺旋コイルインサート３１２と接触するように駆動されると、ステップ端２８４はその内部外周面３１６と螺合する。まず、上記螺合端３００の上記つまみ３０８は、空洞２９６を下方に押されることによって、上記レバーアーム２９８をバネ３０４のバイアスに対して旋回を起こす。回転軸２８０のステップ端２８４が螺旋コイルインサート３１２内で深く駆動されると、バネ３０４は、つまみ３０８が最終的にリセス３１４に移動して咬合するまで、つまみ３０８を内部外周面３１６に対して外側に偏らせる。リセス３１４が咬合されると、回転軸２８０は、予備巻取り穴５９および２３４を通して、工作物１１０および２７４内へ螺旋コイルインサート３１２を回転駆動する。
【００２９】
上述した本発明の説明は、単に一例を挙げて説明したものであるので、これら以外に様々な種類があった場合であっても本発明の主旨から逸脱するものではない。そのような種類も、本発明の範囲に含まれるものである。
【図面の簡単な説明】
【００３０】
【図１】図１（Ａ）は、本発明の往復型回転軸予備巻取り装置の断面図であり、図１（Ｂ）は、図１（Ａ）に示す往復型回転軸予備巻取り装置の透視図である。
【図２】図２（Ａ）は、図１（Ａ）（Ｂ）に示す往復型回転軸予備巻取り装置の他の実施形態を示す部分的断面図であり、図２（Ｂ）は、図２（Ａ）に示す他の実施形態の往復型回転軸予備巻取り装置の透視図である。
【図３】図３は、本発明に沿った固定型回転軸予備巻取り装置の側面図である。
【図４】図４は、図１または図２に示す往復型回転軸予備巻取り装置の予備巻取り機の詳細な断面図である。
【図５】図５は、予備巻取り操作中の図１に示した往復型回転軸予備巻取り装置を示す側面図である。
【図６】図６は、予備巻取り操作中の図３に示した固定型回転軸予備巻取り装置を示す側面図である。
【図７】図７は、タングルズ螺旋コイルインサートとともに使用する他の回転軸の断面図である。
【国際公開パンフレット】
2004536718.tif 000003
2004536718.tif 000004
2004536718.tif 000005
2004536718.tif 000006
2004536718.tif 000007
2004536718.tif 000008
2004536718.tif 000009
2004536718.tif 000010
2004536718.tif 000011
2004536718.tif 000012
2004536718.tif 000013
2004536718.tif 000014
2004536718.tif 000015
2004536718.tif 000016
2004536718.tif 000017
2004536718.tif 000018
2004536718.tif 000019
2004536718.tif 000020
2004536718.tif 000021
2004536718.tif 000022
2004536718.tif 000023
2004536718.tif 000024
【国際公開パンフレット（コレクトバージョン）】
2004536718.tif 000025
【国際調査報告】
2004536718.tif 000026
2004536718.tif 000027
2004536718.tif 000028
2004536718.tif 000029
2004536718.tif 000030